(57)【要約】  上り制御情報を上りデータチャネルに多重する場合であっても通信スループットなどの低下を抑制すること。ユーザ端末は、上り共有チャネルにおいて、再送制御情報（ＨＡＲＱ−ＡＣＫ）と、複数のチャネル状態情報パート（ＣＳＩパート）を含むチャネル状態情報と、を送信する送信部と、少なくとも前記ＨＡＲＱ−ＡＣＫと特定のＣＳＩパートを異なるリソースに割当てるように制御する制御部と、を有する。
2019107547.tif 000002
【特許請求の範囲】
【請求項１】
上り共有チャネルにおいて、再送制御情報（ＨＡＲＱ−ＡＣＫ）と、複数のチャネル状態情報パート（ＣＳＩパート）を含むチャネル状態情報と、を送信する送信部と、
少なくとも前記ＨＡＲＱ−ＡＣＫと特定のＣＳＩパートを異なるリソースに割当てるように制御する制御部と、を有することを特徴とするユーザ端末。
【請求項２】
前記制御部は、前記ＨＡＲＱ−ＡＣＫと前記特定のＣＳＩパートに第１のマッピングパターンを適用することを特徴とする請求項１に記載のユーザ端末。
【請求項３】
前記制御部は、前記特定のＣＳＩパートと異なる他のＣＳＩパートに対して、前記第１のマッピングパターンと異なる第２のマッピングパターンを適用することを特徴とする請求項２に記載のユーザ端末。
【請求項４】
前記第１のマッピングパターンは、前記ＨＡＲＱ−ＡＣＫの割当てに利用される第１のサブパターンと、前記特定のＣＳＩパートの割当てに利用される第２のサブパターンが含まれることを特徴とする請求項１から請求項３のいずれかに記載のユーザ端末。
【請求項５】
前記第１のマッピングパターンに含まれるリソースの少なくとも一部が前記第２のマッピングパターンに含まれるリソースより復調用参照信号の近くに配置されることを特徴とする請求項３又は請求項４に記載のユーザ端末。
【請求項６】
上り共有チャネルにおいて、再送制御情報（ＨＡＲＱ−ＡＣＫ）と、複数のチャネル状態情報パート（ＣＳＩパート）を含むチャネル状態情報と、を送信する工程と、
少なくとも前記ＨＡＲＱ−ＡＣＫと特定のＣＳＩパートを異なるリソースに割当てるように制御する工程と、を有することを特徴とするユーザ端末の無線通信方法。
【発明の詳細な説明】
【技術分野】
【０００１】
本開示は、次世代移動通信システムにおけるユーザ端末及び無線通信方法に関する。
【背景技術】
【０００２】
ＵＭＴＳ（Universal  Mobile  Telecommunications  System）ネットワークにおいて、更なる高速データレート、低遅延などを目的としてロングタームエボリューション（ＬＴＥ：Long  Term  Evolution）が仕様化された（非特許文献１）。また、ＬＴＥ（ＬＴＥ  Ｒｅｌ．８、９）の更なる大容量、高度化などを目的として、ＬＴＥ−Ａ（ＬＴＥアドバンスト、ＬＴＥ  Ｒｅｌ．１０、１１、１２、１３）が仕様化された。【０００３】
ＬＴＥの後継システム（例えば、ＦＲＡ（Future  Radio  Access）、５Ｇ（5th  generation  mobile  communication  system）、５Ｇ＋（plus）、ＮＲ（New  Radio）、ＮＸ（New  radio  access）、ＦＸ（Future  generation  radio  access）、ＬＴＥ  Ｒｅｌ．１４又は１５以降などともいう）も検討されている。【０００４】
既存のＬＴＥシステム（例えば、ＬＴＥ  Ｒｅｌ．８−１３）では、ユーザ端末（ＵＥ：User  Equipment）は、ＵＬデータチャネル（例えば、ＰＵＳＣＨ：Physical  Uplink  Shared  Channel）及び／又はＵＬ制御チャネル（例えば、ＰＵＣＣＨ：Physical  Uplink  Control  Channel）を用いて、上りリンク制御情報（ＵＣＩ：Uplink  Control  Information）を送信する。【０００５】
ＵＥは、上りデータの送信タイミングと、上り制御情報（ＵＣＩ）の送信タイミングが重複する場合、上り共有チャネル（ＰＵＳＣＨ）を用いて上りデータとＵＣＩの送信を行ってもよい。ＰＵＳＣＨを利用してＵＣＩを送信することをＵＣＩ  ｏｎ  ＰＵＳＣＨ（piggyback  on  PUSCH）、ＵＣＩピギーバック、ＰＵＳＣＨピギーバックなどとも呼ぶ。【０００６】
ＵＣＩは、例えば、ＤＬデータに対する再送制御情報（ＨＡＲＱ−ＡＣＫ、ＡＣＫ／ＮＡＣＫ、Ａ／Ｎなどともいう）、スケジューリングリクエスト（ＳＲ：Scheduling  Request）、ＣＳＩ（例えば、周期的ＣＳＩ（Ｐ−ＣＳＩ：Periodic  CSI）、非周期的ＣＳＩ（Ａ−ＣＳＩ：Aperiodic  CSI）など）を含んでもよい。
【先行技術文献】
【非特許文献】
【０００７】
【非特許文献１】3GPP  TS  36.300  V8.12.0  “Evolved  Universal  Terrestrial  Radio  Access  (E-UTRA)  and  Evolved  Universal  Terrestrial  Radio  Access  Network  (E-UTRAN);  Overall  description;  Stage  2  (Release  8)”、２０１０年４月
【発明の概要】
【発明が解決しようとする課題】
【０００８】
将来の無線通信システム（以下、ＮＲとも記す）においても、既存のＬＴＥシステムと同様にＰＵＳＣＨを利用した上りデータ及びＵＣＩ送信を行うことが考えられる。一方で、ＮＲでは、チャネル状態情報（ＣＳＩ）を複数種類に分けて送信処理（例えば、マッピング）を行うことが想定される。【０００９】
しかしながら、ＣＳＩを複数種類に分けてＰＵＳＣＨにおけるマッピングを行う場合、どのように送信処理を制御すべきかについてはまだ検討が進んでいない。既存のＬＴＥシステムと同様の送信処理を適用すると、通信スループット、通信品質などが劣化するおそれがある。【００１０】
そこで、本開示は、上り制御情報を上りデータチャネルに多重する場合であっても通信スループットなどの低下を抑制できるユーザ端末及び無線通信方法を提供することを目的の１つとする。
【課題を解決するための手段】
【００１１】
本開示の一態様に係るユーザ端末は、上り共有チャネルにおいて、再送制御情報（ＨＡＲＱ−ＡＣＫ）と、複数のチャネル状態情報パート（ＣＳＩパート）を含むチャネル状態情報と、を送信する送信部と、少なくとも前記ＨＡＲＱ−ＡＣＫと特定のＣＳＩパートを異なるリソースに割当てるように制御する制御部と、を有することを特徴とする。
【発明の効果】
【００１２】
本開示の一態様によれば、上り制御情報を上りデータチャネルに多重する場合であっても通信スループットなどの低下を抑制できる。
【図面の簡単な説明】
【００１３】
【図１】図１は、ＨＡＲＱ−ＡＣＫと複数のＣＳＩパートの割当て制御の一例を示す図である。
【図２】図２は、ＨＡＲＱ−ＡＣＫと複数のＣＳＩパートの割当て制御の他の例を示す図である。
【図３】図３Ａ及び図３Ｂは、ＨＡＲＱ−ＡＣＫと複数のＣＳＩパートの割当て制御の他の例を示す図である。
【図４】図４Ａ及び図４Ｂは、ＨＡＲＱ−ＡＣＫと複数のＣＳＩパートの割当て制御の他の例を示す図である。
【図５】図５は、一実施の形態に係る無線通信システムの概略構成の一例を示す図である。
【図６】図６は、一実施の形態に係る無線基地局の全体構成の一例を示す図である。
【図７】図７は、一実施の形態に係る無線基地局の機能構成の一例を示す図である。
【図８】図８は、一実施の形態に係るユーザ端末の全体構成の一例を示す図である。
【図９】図９は、一実施の形態に係るユーザ端末の機能構成の一例を示す図である。
【図１０】図１０は、一実施の形態に係る無線基地局及びユーザ端末のハードウェア構成の一例を示す図である。
【発明を実施するための形態】
【００１４】
ＵＬ伝送において低いＰＡＰＲ（Peak-to-Average  Power  Patio）及び／又は低い相互変調歪（ＩＭＤ：Inter-Modulation  Distortion）を達成する方法として、ＵＣＩ送信とＵＬデータ（ＵＬ−ＳＣＨ）送信が同じタイミングで生じた場合、ＵＣＩとＵＬデータをＰＵＳＣＨに多重して伝送（ピギーバック（piggyback））する方法がある。
【００１５】
既存のＬＴＥシステムでは、ＰＵＳＣＨを利用してＵＬデータとＵＣＩ（例えば、Ａ／Ｎ）を送信する場合、ＵＬデータにパンクチャ（puncture）処理を行い、当該パンクチャ処理されたリソースにＵＣＩを多重する。これは、既存のＬＴＥシステムでは、ＰＵＳＣＨに多重されるＵＣＩの容量（又は、割合）がそこまで多くならないこと、及び／又は、ＵＥにおけるＤＬ信号の検出ミスが生じた場合でも基地局における受信処理の複雑化を抑制するためである。
【００１６】
データをパンクチャ処理するとは、データ用に割り当てられたリソースを使えることを想定して（又は、使用できないリソース量を考慮しないで）符号化を行うが、実際に利用できないリソース（例えば、ＵＣＩ用リソース）に符号化シンボルをマッピングしない（リソースを空ける）ことをいう。受信側では、当該パンクチャされたリソースの符号化シンボルを復号に用いないようにすることで、パンクチャによる特性劣化を抑制することができる。
【００１７】
ＮＲにおいては、ＰＵＳＣＨを利用してＵＬデータとＵＣＩを送信する場合、ＵＬデータにレートマッチング（rate-matching）処理を適用することも検討されている。
【００１８】
データをレートマッチング処理するとは、実際に利用可能な無線リソースを考慮して、符号化後のビット（符号化ビット）の数を制御することをいう。実際に利用可能な無線リソースにマッピング可能なビット数よりも符号化ビット数が少ない場合、符号化ビットの少なくとも一部が繰り返されてもよい。当該マッピング可能なビット数よりも符号化ビット数が多い場合、符号化ビットの一部が削除されてもよい。
【００１９】
ＵＬデータにレートマッチング処理を行うことにより、実際に利用可能となるリソースを考慮するため、パンクチャ処理と比較して符号化率が高くなるように（高い性能で）符号化を行うことができる。したがって、例えば、ＵＣＩのペイロードサイズが大きい場合にパンクチャ処理にかえてレートマッチング処理を適用することにより、より高い品質でＵＬ信号の生成が可能となるため、通信品質を向上することができる。
【００２０】
ＮＲでも、既存のＬＴＥシステムと同様にＵＣＩ  ｏｎ  ＰＵＳＣＨを行うことが考えられる。この場合、ＰＵＳＣＨに多重して伝送（ピギーバック）するＵＣＩとして、少なくとも再送制御信号（ＨＡＲＱ−ＡＣＫ）及びチャネル状態情報（ＣＳＩ）が含まれることが想定される。
【００２１】
ところで、ＮＲではチャネル状態情報として、例えば、ＣＳＩパート１及びＣＳＩパート２を少なくとも含む複数種類のＣＳＩが定義（又は、サポート）されることが検討されている。ＣＳＩパート１は、第１のＣＳＩ、ＣＳＩ部分１、ＣＳＩタイプ１、又はＣＳＩ構成１等と呼ばれてもよい。ＣＳＩパート２は、第２のＣＳＩ、ＣＳＩ部分２、ＣＳＩタイプ２、又はＣＳＩ構成２等と呼ばれてもよい。
【００２２】
ＣＳＩパート１は、ＣＳＩパート２より優先度が高い（higher  priority）情報で構成してもよい。例えば、ＣＳＩパート２は、ＣＳＩパート１に含まれる情報を前提とした情報（又は、ＣＳＩパート１に含まれる情報に基づいて必要となる情報）が含まれる構成としてもよい。一例として、ＣＳＩパート１は、ランク数（又は、レイヤ数）を示す情報（例えば、ランクインディケータ（ＲＩ））を含み、ＣＳＩパート２は、チャネル品質を示す情報（例えば、チャネル品質情報（ＣＱＩ）を含む構成としてもよい。この場合、ＣＳＩパート２ではＣＳＩパート１に含まれるランクを前提としたＣＱＩが含まれる構成としてもよい。
【００２３】
なお、ランク数を示す情報は、既存のＬＴＥシステムにおけるＲＩであってもよいし、チャネル品質を示す情報は既存のＬＴＥシステムにおけるＣＱＩであってもよい。もちろん、ＣＳＩパート１、ＣＳＩパート２に含まれる情報はこれに限られない。ＣＳＩパート１にランクとＰＭＩに関する情報が含まれ、ＣＳＩパート２にＣＱＩに関する情報が含まれる構成としてもよい。あるいは、ＣＳＩパート１にランクに関する情報が含まれ、ＣＳＩパート２にＰＭＩとＣＱＩに関する情報が含まれる構成としてもよい。
【００２４】
また、ＣＳＩパート１の情報量（又は、サイズ、ビット数）がＣＳＩパート２の情報量より小さくなるように規定されてもよい。あるいは、ＣＳＩパート１とＣＳＩパート２に適用されるＰＵＣＣＨフォーマットが異なる構成としてもよい。なお、複数種類のＣＳＩは、ＣＳＩパート１及びＣＳＩパート２の２種類で構成されてもよいし、３種類以上のＣＳＩパートで構成されてもよい。
【００２５】
このように、複数種類のＣＳＩパートがサポートされる場合、各ＣＳＩパートの送信（例えば、リソースへの割当て）をどのように制御するかが問題となる。例えば、ＨＡＲＱ−ＡＣＫとＣＳＩをＰＵＳＣＨに多重して送信する場合、ＨＡＲＱ−ＡＣＫと各ＣＳＩパートの割当て（又は、マッピング）をどのように制御するかが問題となる。
【００２６】
ところで、ＮＲにおいて、ＵＥは、ＵＬグラントに従ってＰＵＳＣＨ送信を行う場合、ピギーバックされるＨＡＲＱ−ＡＣＫのビット数に基づいて、当該ＰＵＳＣＨへの割当て方法（例えば、レートマッチングとパンクチャのいずれを適用するか）を制御することが検討されている。
【００２７】
例えば、ＵＥは、所定ビット（例えば、２ビット）以下のＨＡＲＱ−ＡＣＫをＰＵＳＣＨにピギーバックする場合、当該ＨＡＲＱ−ＡＣＫによって当該ＰＵＳＣＨのＵＬデータをパンクチャすることが考えられる。また、ＵＥは、所定ビット（例えば、２ビット）より多いＨＡＲＱ−ＡＣＫをＰＵＳＣＨにピギーバックする場合、当該ＨＡＲＱ−ＡＣＫによって当該ＰＵＳＣＨのＵＬデータをレートマッチングすることが考えられる。
【００２８】
また、ＰＵＳＣＨにピギーバックするＨＡＲＱ−ＡＣＫのマッピングとＣＳＩのマッピングは別々に制御されることも考えられる。例えば、ＰＵＳＣＨにおいて、ＣＳＩマッピング後にＨＡＲＱ−ＡＣＫのマッピングが行われる場合、ＣＳＩがＨＡＲＱ−ＡＣＫによりパンクチャされる可能性もある。
【００２９】
ＰＵＳＣＨのＵＬデータ及び／又はＣＳＩをパンクチャしてＨＡＲＱ−ＡＣＫ送信を行う場合、ＣＳＩにおいて優先度の高いＣＳＩパート（例えば、ＣＳＩパート１）がＨＡＲＱ−ＡＣＫによりパンクチャされるケースも生じ得る。この場合、優先度の高いＣＳＩパートを基地局へ適切に送信できなくなるため、通信スループット等の通信品質が劣化するおそれがある。
【００３０】
そこで、本発明者等は、マッピング方法によってＰＵＳＣＨに多重されるＣＳＩがＨＡＲＱ−ＡＣＫによりパンクチャされる可能性がある点に着目し、ＨＡＲＱ−ＡＣＫと複数のＣＳＩパートをＰＵＳＣＨに割当てる際に、少なくとも特定のＣＳＩパートとＨＡＲＱ−ＡＣＫが異なるリソースにマッピングされるように制御することを着想した。
【００３１】
以下、本開示の実施形態について詳細に説明する。なお、以下の説明では、ＰＵＳＣＨに多重するＵＣＩとして、送達確認情報（ＨＡＲＱ−ＡＣＫ：Hybrid  Automatic  Repeat  reQuest−Acknowledge、ＡＣＫ又はＮＡＣＫ（Negative  ＡＣＫ）又はＡ／Ｎ等ともいう）、ＣＳＩパート１、及びＣＳＩパート２を例に挙げて説明するが、ＰＵＳＣＨに多重可能なＵＣＩはこれらに限られない。他のＵＣＩとして、スケジューリング要求（ＳＲ：Scheduling  Request）、ビームインデックス情報（ＢＩ：Beam  Index）、バッファステータスレポート（ＢＳＲ：Buffer  Status  Report）の少なくとも一つを含んでもよい。
【００３２】
以下の実施形態において、ＨＡＲＱ−ＡＣＫは、他のＵＣＩで読み替えられてもよい。また、本明細書において、「データ」、「データチャネル（例えばＰＵＳＣＨ）」、「データチャネルのリソース」などは、相互に読み替えられてもよい。また、以下の説明において、無線リソース又はリソースは、ＲＢＧ単位のリソース、ＲＢリソース単位のリソース、及びＲＥ単位のリソースのいずれであってもよい。
【００３３】
＜マッピングパターン＞
ＵＥは、所定条件に基づいてＨＡＲＱ−ＡＣＫと複数のＣＳＩパートを含むＣＳＩをＰＵＳＣＨに多重して送信を行う。所定条件は、基地局からの指示（例えば、ＰＵＳＣＨの送信指示（ＵＬグラント））であってもよいし、他の条件であってもよい。また、ＣＳＩは少なくとも２以上のＣＳＩパートを含む構成としてもよい。なお、ＵＥがあるタイミング（例えば、スロット、サブフレーム等）で送信するＣＳＩパートは必ずしも複数でなく１つのＣＳＩパートであってもよい。
【００３４】
ＵＥは、ＨＡＲＱ−ＡＣＫとＣＳＩパートをＰＵＳＣＨに多重して送信する場合、少なくともＨＡＲＱ−ＡＣＫと特定のＣＳＩパート（ここでは、ＣＳＩパート１）が異なるリソースにマッピングされるように制御する。
【００３５】
ＵＥは、ＨＡＲＱ−ＡＣＫとＣＳＩパート１について、レートマッチング処理又はパンクチャ処理を適用して割当てを制御すればよい。ＵＥは、所定条件（例えば、ビット数）に基づいてＨＡＲＱ−ＡＣＫ及び／又はＣＳＩパート１のマッピング方法を決定してもよいし、あらかじめ設定されたマッピング方法を利用してもよい。また、ＨＡＲＱ−ＡＣＫとＣＳＩパート１に対して異なるマッピング方法（例えば、ＨＡＲＱ−ＡＣＫにパンクチャ処理、ＣＳＩパート１にレートマッチング処理）を適用してＰＵＳＣＨにおけるマッピングを制御してもよい。
【００３６】
また、ＵＥは、ＨＡＲＱ−ＡＣＫとＣＳＩパート１に対して共通のマッピングパターン（パターン＃Ａ）を適用し、他のＣＳＩパート（ここでは、ＣＳＩパート２）に対して異なるマッピングパターン（パターン＃Ｂ）を適用してもよい（図１参照）。図１では、ＨＡＲＱ−ＡＣＫとＣＳＩパート１は一つのグループとして同じパターン＃Ａが適用され、当該パターン＃Ａにおいて異なるリソースにマッピングされる場合を示している。
【００３７】
つまり、ＨＡＲＱ−ＡＣＫとＣＳＩパート１に対して共通のマッピングパターン（パターン＃Ａ）を設定し、当該パターン＃ＡにおいてＨＡＲＱ−ＡＣＫとＣＳＩパート１が異なるリソースにマッピングされるように制御する。
【００３８】
例えば、パターン＃Ａにおいて複数のサブパターンを設定し、ＨＡＲＱ−ＡＣＫとＣＳＩパート１を異なるサブパターンにマッピングするように制御する（図２参照）。複数のサブパターンは、それぞれ異なる無線リソースに対応して設定すればよい。
【００３９】
図２では、パターン＃Ａにおいてサブパターン＃１とサブパターン＃２を設定し、ＨＡＲＱ−ＡＣＫを一方のサブパターン（例えば、サブパターン＃１）に割当て、ＣＳＩパート１を他方のサブパターン（例えば、サブパターン＃２）に割当てる場合を示している。
【００４０】
サブパターン＃１とサブパターン＃２は、時間方向に多重（時間多重）して設定されてもよいし、周波方向に多重（周波数多重）して設定されてもよい。もちろん、時間方向と周波数方向の両方に多重して設定されてもよい。また、複数のサブパターンは、空間方向に多重（空間多重）して設定されてもよい。
【００４１】
図２では、パターン＃Ａとして、時間方向に連続するリソースを周波数方向に分散して複数配置する場合を示している。この場合、ある時間領域（例えば、シンボル）におけるリソースをサブパターン１とし、サブパターン１に対応するリソースと時間方向に隣接するリソースをサブパターン＃２としてもよい。あるいは、ある周波数領域に設定されるリソースをサブパターン＃１とし、他の周波数領域に設定されるリソースをサブパターン＃２としてもよい。
【００４２】
サブパターン＃１に対応するリソースと、サブパターン＃２に対応するリソースは、同じ割合で設定してもよいし、異なる割合で設定してもよい。一方のサブパターン（例えば、サブパターン＃２）に対応するリソースの割合を、他方のサブパターン（例えば、サブパターン＃１）に対応するリソースの割合より高くなるように仕様等であらかじめ固定的に設定してもよい。
【００４３】
あるいは、ＨＡＲＱ−ＡＣＫとＣＳＩパートのサイズに応じて各サブパターンに対応するリソースの設定を変更してもよい。例えば、ＣＳＩパート１のサイズが所定値以上（及び／又はＨＡＲＱ−ＡＣＫのサイズが所定値以下）の場合、パターン＃Ａにおいてサブパターン＃２に対応するリソースの割合を大きくする。あるいは、ＨＡＲＱ−ＡＣＫのサイズが所定値以上（及び／又はＣＳＩパート１のサイズが所定値以下）の場合、パターン＃Ａにおいてサブパターン＃２に対応するリソースの割合を大きくする。
【００４４】
このように、ＨＡＲＱ−ＡＣＫ用のサブパターン＃１とＣＳＩ用のサブパターン＃２を設定することにより、ＨＡＲＱ−ＡＣＫのマッピング方法（パンクチャ又はレートマッチング）に関わらず、ＨＡＲＱ−ＡＣＫの割当てがＣＳＩパート１に干渉しない構成とすることができる。これにより、ＨＡＲＱ−ＡＣＫのマッピングに関わらず、ＵＥは、少なくともＣＳＩパート１を基地局に適切に送信することができるため、通信品質の劣化を抑制することができる。
【００４５】
また、ＨＡＲＱ−ＡＣＫと特定のＣＳＩパート（ここでは、ＣＳＩパート１）に適用するマッピングパターン＃Ａと、他のＣＳＩパートに適用するマッピングパターン＃Ｂは、異なる領域に配置してもよい。例えば、復調用参照信号（例えば、ＰＵＳＣＨ用のＤＭＲＳ）に近い領域にパターン＃Ａを設定し、他の領域にパターンＢを設定してもよい（図１、図２参照）。この場合、パターン＃Ａに含まれるリソースの少なくとも一部がパターン＃Ｂに含まれるリソースよりＤＭＲＳの近くに配置すればよい。
【００４６】
パターン＃ＡをＤＭＲＳに近い領域に配置することにより、基地局において優先度（重要度）が高いＨＡＲＱ−ＡＣＫ及びＣＳＩパート１の受信時のチャネル推定精度を向上することができる。これにより、ＨＡＲＱ−ＡＣＫ及びＣＳＩパート１の受信精度を高め、通信品質を向上することができる。
【００４７】
また、パターン＃Ａに対応するリソースと、パターン＃Ｂに対応するリソースは、同じ割合で設定してもよいし、異なる割合で設定してもよい。一方のパターン（例えば、パターン＃Ｂ）に対応するリソースの割合を、他方のサブパターン（例えば、パターン＃Ａ）に対応するリソースの割合より高くなるように仕様等で固定的に設定してもよい。
【００４８】
あるいは、ＨＡＲＱ−ＡＣＫ及び／又はＣＳＩパートのサイズと、ＣＳＩパート２のサイズとに応じて各パターンに対応するリソースの設定を変更してもよい。例えば、ＣＳＩパート２のサイズが所定値以上の場合、パターン＃Ｂに対応するリソースの割合を大きくする。これにより、ＣＳＩパート２を適切に送信することができる。
【００４９】
あるいは、ＨＡＲＱ−ＡＣＫのサイズが所定値以上（及び／又はＣＳＩパート２のサイズが所定値以下）の場合、パターン＃Ａに対応するリソースの割合を大きくする。パターン＃Ａに対応するリソース量を増やすことにより、ＨＡＲＱ−ＡＣＫ及びＣＳＩパート１の送信を適切に行うことができる。
【００５０】
また、パターン＃Ａとパターン＃Ｂは、異なる無線リソース（重複しないリソース）に設定されてもよい（図３Ａ参照）。この場合、パターン＃Ｂに対応するリソースにマッピングされるＣＳＩパート２に対しても、ＨＡＲＱ−ＡＣＫによりパンクチャされることを抑制できる。
【００５１】
あるいは、パターン＃Ａとパターン＃Ｂは、少なくとも一部が重複する無線リソースに設定されてもよい（図３Ｂ参照）。図３Ｂでは、パターン＃Ａが、時間領域及び／又は周波数領域に分散して配置されるパターンを示している。この場合、パターン＃Ｂと重複するリソースにおいてＨＡＲＱ−ＡＣＫ及び／又はＣＳＩパート１がマッピングされる場合、ＣＳＩパート２をパンクチャしてもよい。
【００５２】
このように、パターン＃Ａとパターン＃Ｂが重複して設定可能な構成とすることにより各マッピングパターンに対応するリソースを柔軟に設定することができる。これにより、パターン＃ＢのリソースをＤＭＲＳの近くに配置することも可能となる。
【００５３】
なお、図３Ｂでは、ＨＡＲＱ−ＡＣＫ（サブパターン＃１）とＣＳＩパート１（サブパターン＃２）を異なる時間領域及び周波数領域に設定する場合を示しているが、これに限られない。例えば、同じ周波数領域においてＨＡＲＱ−ＡＣＫとＣＳＩパート１が時間多重するように配置してもよいし（図４Ａ参照）、ＨＡＲＱ−ＡＣＫとＣＳＩパート１をそれぞれ局所的に配置してもよい（図４Ｂ参照）。
【００５４】
＜マッピングパターン及び／又はリソース通知＞
マッピングパターン（パターン＃Ａ及びパターン＃Ｂ）、及び／又はパターン＃Ａにおけるサブパターン＃１及びサブパターン＃２は、仕様であらかじめ固定的に定義してもよい。あるいは、基地局がマッピングパターン（パターン＃Ａ及びパターン＃Ｂ）、及び／又はパターン＃Ａにおけるサブパターン＃１及びサブパターン＃２に関する情報（以下、マッピングパターン情報とも記す）をＵＥに通知してもよい。なお、マッピングパターン情報はリソース情報と呼ばれてもよい。
【００５５】
基地局は、下り制御情報及び／又は上位レイヤシグナリングを用いてマッピングパターン情報をＵＥに通知してもよい。下り制御情報（ＤＣＩ）は、ＤＬデータ（例えば、ＰＤＳＣＨ）のスケジューリングを通知するＤＬアサイメント及び／又はＵＬデータ（例えば、ＰＵＳＣＨ）のスケジューリングを通知するＵＬグラントであってもよい。
【００５６】
例えば、基地局は、ＨＡＲＱ−ＡＣＫに対応する（ＨＡＲＱ−ＡＣＫの元となる）ＰＤＳＣＨをスケジューリングするＤＣＩに、サブパターン＃１及び／又はサブパターン＃２に関する情報を含めてＵＥに通知する。ＵＥは、ＰＤＳＣＨに対するＨＡＲＱ−ＡＣＫを送信する際に、当該ＰＤＳＣＨをスケジューリングするＤＣＩに含まれる情報に基づいて、ＨＡＲＱ−ＡＣＫを割当てるリソース（サブパターン＃１）を判断してもよい。当該ＤＣＩに含まれる情報には、サブパターン＃１及び／又はサブパターン＃２のリソース位置を特定する情報が含まれていればよい。
【００５７】
また、基地局は、ＰＵＳＣＨの送信を指示するＤＣＩ（例えば、ＵＬグラント）に、サブパターン＃１及び／又はサブパターン＃２に関する情報を含めてＵＥに通知してもよい。ＵＥは、ＰＵＳＣＨを送信する際に、当該ＰＵＳＣＨをスケジューリングするＤＣＩに含まれる情報に基づいて、ＰＵＳＣＨに多重するＨＡＲＱ−ＡＣＫ及び／又はＣＳＩパート１を割当てるリソース（サブパターン＃１及び／又はサブパターン＃２）を判断してもよい。当該ＤＣＩに含まれる情報には、サブパターン＃１及び／又はサブパターン＃２のリソース位置を特定する情報が含まれていればよい。
【００５８】
また、基地局は、ＰＵＳＣＨの送信を指示するＤＣＩ（例えば、ＵＬグラント）に、パターン＃Ａ及び／又はパターン＃Ｂに関する情報を含めてＵＥに通知してもよい。これにより、ＵＥは、ＰＵＳＣＨの送信指示があった場合に、当該ＰＵＳＣＨにピギーバックするＨＡＲＱ−ＡＣＫとＣＳＩ（ＣＳＩパート１及びＣＳＩパート２）の割当てリソースを適切に判断することができる。
【００５９】
なお、ＰＵＳＣＨの送信を指示するＤＣＩ（ＵＬグラント）の受信後に受信したＰＤＳＣＨに対するＨＡＲＱ−ＡＣＫを当該ＰＵＳＣＨに多重する場合も考えられる。この場合、ＵＥはＰＤＳＣＨをスケジューリングするＤＣＩに含まれる情報に基づいてＨＡＲＱ−ＡＣＫの割当てを制御してもよい。これにより、最新の情報に基づいてＵＣＩ  ｏｎ  ＰＵＳＣＨを柔軟に制御することができる。
【００６０】
また、基地局は、マッピングパターン（パターン＃Ａ及びパターン＃Ｂ）、及び／又はパターン＃Ａにおけるサブパターン＃１及びサブパターン＃２に関する情報を上位レイヤシグナリングでＵＥに通知してもよい。
【００６１】
ここで、上位レイヤシグナリングは、例えば、ＲＲＣ（Radio  Resource  Control）シグナリング、ＭＡＣ（Medium  Access  Control）シグナリング、ブロードキャスト情報などのいずれか、又はこれらの組み合わせであってもよい。
【００６２】
ＭＡＣシグナリングは、例えば、ＭＡＣ制御要素（ＭＡＣ  ＣＥ（Control  Element））、ＭＡＣ  ＰＤＵ（Protocol  Data  Unit）などを用いてもよい。ブロードキャスト情報は、例えば、マスタ情報ブロック（ＭＩＢ：Master  Information  Block）、システム情報ブロック（ＳＩＢ：System  Information  Block）、最低限のシステム情報（ＲＭＳＩ：Remaining  Minimum  System  Information）などであってもよい。
【００６３】
また、基地局は、パターン＃Ａ及び／又はパターン＃Ｂに対する複数の候補パターンを上位レイヤシグナリングで予め設定し、下り制御情報を用いて特定の候補パターンをＵＥに通知してもよい。あるいは、基地局は、サブパターン＃１及び／又はサブパターン＃２に対する複数の候補パターンを上位レイヤシグナリングで予め設定し、下り制御情報を用いて特定の候補パターンをＵＥに通知してもよい。なお、パターン＃Ａと、サブパターン＃１と、サブパターン＃２との組み合わせ候補パターンを上位レイヤシグナリングでＵＥに通知し、下り制御情報を用いて特定の組み合わせ候補パターンをＵＥに通知してもよい。
【００６４】
また、基地局は、サブパターンを利用したＨＡＲＱ−ＡＣＫと特定のＣＳＩパートの割当ての適用有無を上位レイヤシグナリング等でＵＥに設定してもよい。この場合、ＵＥは、上位レイヤシグナリングでサブパターンを利用したマッピング制御が設定された場合、上記図１−図４で示したマッピング制御を行う構成とすればよい。なお、サブパターンを利用したマッピング制御が設定されない場合、ＵＥは既存のＬＴＥシステムで規定されたマッピングパターンを適用すればよい。
【００６５】
（無線通信システム）
以下、一実施の形態に係る無線通信システムの構成について説明する。この無線通信システムでは、上記複数の態様の少なくとも一つの組み合わせを用いて通信が行われる。
【００６６】
図５は、一実施の形態に係る無線通信システムの概略構成の一例を示す図である。無線通信システム１では、ＬＴＥシステムのシステム帯域幅（例えば、２０ＭＨｚ）を１単位とする複数の基本周波数ブロック（コンポーネントキャリア）を一体としたキャリアアグリゲーション（ＣＡ）及び／又はデュアルコネクティビティ（ＤＣ）を適用することができる。
【００６７】
なお、無線通信システム１は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＮＲ（New  Radio）、ＦＲＡ（Future  Radio  Access）、Ｎｅｗ−ＲＡＴ（Radio  Access  Technology）などと呼ばれてもよいし、これらを実現するシステムと呼ばれてもよい。
【００６８】
無線通信システム１は、比較的カバレッジの広いマクロセルＣ１を形成する無線基地局１１と、マクロセルＣ１内に配置され、マクロセルＣ１よりも狭いスモールセルＣ２を形成する無線基地局１２（１２ａ−１２ｃ）と、を備えている。また、マクロセルＣ１及び各スモールセルＣ２には、ユーザ端末２０が配置されている。各セル及びユーザ端末２０の配置、数などは、図に示す態様に限定されない。
【００６９】
ユーザ端末２０は、無線基地局１１及び無線基地局１２の双方に接続することができる。ユーザ端末２０は、マクロセルＣ１及びスモールセルＣ２を、ＣＡ又はＤＣを用いて同時に使用することが想定される。また、ユーザ端末２０は、複数のセル（ＣＣ）（例えば、５個以下のＣＣ、６個以上のＣＣ）を用いてＣＡ又はＤＣを適用してもよい。
【００７０】
ユーザ端末２０と無線基地局１１との間は、相対的に低い周波数帯域（例えば、２ＧＨｚ）で帯域幅が狭いキャリア（既存キャリア、legacy  carrierなどとも呼ばれる）を用いて通信を行うことができる。一方、ユーザ端末２０と無線基地局１２との間は、相対的に高い周波数帯域（例えば、３．５ＧＨｚ、５ＧＨｚなど）で帯域幅が広いキャリアが用いられてもよいし、無線基地局１１との間と同じキャリアが用いられてもよい。なお、各無線基地局が利用する周波数帯域の構成はこれに限られない。
【００７１】
また、ユーザ端末２０は、各セルで、時分割複信（ＴＤＤ：Time  Division  Duplex）及び／又は周波数分割複信（ＦＤＤ：Frequency  Division  Duplex）を用いて通信を行うことができる。また、各セル（キャリア）では、単一のニューメロロジーが適用されてもよいし、複数の異なるニューメロロジーが適用されてもよい。
【００７２】
ニューメロロジーとは、ある信号及び／又はチャネルの送信及び／又は受信に適用される通信パラメータであってもよく、例えば、サブキャリア間隔、帯域幅、シンボル長、サイクリックプレフィックス長、サブフレーム長、ＴＴＩ長、ＴＴＩあたりのシンボル数、無線フレーム構成、送受信機が周波数領域で行う特定のフィルタリング処理、送受信機が時間領域で行う特定のウィンドウイング処理などの少なくとも１つを示してもよい。例えば、ある物理チャネルについて、構成するＯＦＤＭシンボルのサブキャリア間隔が異なる場合及び／又はＯＦＤＭシンボル数が異なる場合には、ニューメロロジーが異なると称されてもよい。
【００７３】
無線基地局１１と無線基地局１２との間（又は、２つの無線基地局１２間）は、有線（例えば、ＣＰＲＩ（Common  Public  Radio  Interface）に準拠した光ファイバ、Ｘ２インターフェースなど）又は無線によって接続されてもよい。
【００７４】
無線基地局１１及び各無線基地局１２は、それぞれ上位局装置３０に接続され、上位局装置３０を介してコアネットワーク４０に接続される。なお、上位局装置３０には、例えば、アクセスゲートウェイ装置、無線ネットワークコントローラ（ＲＮＣ）、モビリティマネジメントエンティティ（ＭＭＥ）などが含まれるが、これに限定されない。また、各無線基地局１２は、無線基地局１１を介して上位局装置３０に接続されてもよい。
【００７５】
なお、無線基地局１１は、相対的に広いカバレッジを有する無線基地局であり、マクロ基地局、集約ノード、ｅＮＢ（eNodeB）、送受信ポイント、などと呼ばれてもよい。また、無線基地局１２は、局所的なカバレッジを有する無線基地局であり、スモール基地局、マイクロ基地局、ピコ基地局、フェムト基地局、ＨｅＮＢ（Home  eNodeB）、ＲＲＨ（Remote  Radio  Head）、送受信ポイントなどと呼ばれてもよい。以下、無線基地局１１及び１２を区別しない場合は、無線基地局１０と総称する。
【００７６】
各ユーザ端末２０は、ＬＴＥ、ＬＴＥ−Ａなどの各種通信方式に対応した端末であり、移動通信端末（移動局）だけでなく固定通信端末（固定局）を含んでもよい。
【００７７】
無線通信システム１においては、無線アクセス方式として、下りリンクに直交周波数分割多元接続（ＯＦＤＭＡ：Orthogonal  Frequency  Division  Multiple  Access）が適用され、上りリンクにシングルキャリア−周波数分割多元接続（ＳＣ−ＦＤＭＡ：Single  Carrier  Frequency  Division  Multiple  Access）及び／又はＯＦＤＭＡが適用される。
【００７８】
ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域幅を端末毎に１つ又は連続したリソースブロックによって構成される帯域に分割し、複数の端末が互いに異なる帯域を用いることで、端末間の干渉を低減するシングルキャリア伝送方式である。なお、上り及び下りの無線アクセス方式は、これらの組み合わせに限らず、他の無線アクセス方式が用いられてもよい。
【００７９】
無線通信システム１では、下りリンクのチャネルとして、各ユーザ端末２０で共有される下り共有チャネル（ＰＤＳＣＨ：Physical  Downlink  Shared  Channel）、ブロードキャストチャネル（ＰＢＣＨ：Physical  Broadcast  Channel）、下りＬ１／Ｌ２制御チャネルなどが用いられる。ＰＤＳＣＨによって、ユーザデータ、上位レイヤ制御情報、ＳＩＢ（System  Information  Block）などが伝送される。また、ＰＢＣＨによって、ＭＩＢ（Master  Information  Block）が伝送される。
【００８０】
下りＬ１／Ｌ２制御チャネルは、下り制御チャネル（ＰＤＣＣＨ（Physical  Downlink  Control  Channel）及び／又はＥＰＤＣＣＨ（Enhanced  Physical  Downlink  Control  Channel））、ＰＣＦＩＣＨ（Physical  Control  Format  Indicator  Channel）、ＰＨＩＣＨ（Physical  Hybrid-ARQ  Indicator  Channel）の少なくとも一つを含む。ＰＤＣＣＨによって、ＰＤＳＣＨ及び／又はＰＵＳＣＨのスケジューリング情報を含む下り制御情報（ＤＣＩ：Downlink  Control  Information）などが伝送される。
【００８１】
なお、ＤＣＩによってスケジューリング情報が通知されてもよい。例えば、ＤＬデータ受信をスケジューリングするＤＣＩは、ＤＬアサインメントと呼ばれてもよいし、ＵＬデータ送信をスケジューリングするＤＣＩは、ＵＬグラントと呼ばれてもよい。
【００８２】
ＰＣＦＩＣＨによって、ＰＤＣＣＨに用いるＯＦＤＭシンボル数が伝送される。ＰＨＩＣＨによって、ＰＵＳＣＨに対するＨＡＲＱ（Hybrid  Automatic  Repeat  reQuest）の送達確認情報（例えば、再送制御情報、ＨＡＲＱ−ＡＣＫ、ＡＣＫ／ＮＡＣＫなどともいう）が伝送される。ＥＰＤＣＣＨは、ＰＤＳＣＨ（下り共有データチャネル）と周波数分割多重され、ＰＤＣＣＨと同様にＤＣＩなどの伝送に用いられる。
【００８３】
無線通信システム１では、上りリンクのチャネルとして、各ユーザ端末２０で共有される上り共有チャネル（ＰＵＳＣＨ：Physical  Uplink  Shared  Channel）、上り制御チャネル（ＰＵＣＣＨ：Physical  Uplink  Control  Channel）、ランダムアクセスチャネル（ＰＲＡＣＨ：Physical  Random  Access  Channel）などが用いられる。ＰＵＳＣＨによって、ユーザデータ、上位レイヤ制御情報などが伝送される。また、ＰＵＣＣＨによって、下りリンクの無線リンク品質情報（ＣＱＩ：Channel  Quality  Indicator）、送達確認情報、スケジューリングリクエスト（ＳＲ：Scheduling  Request）などが伝送される。ＰＲＡＣＨによって、セルとの接続確立のためのランダムアクセスプリアンブルが伝送される。
【００８４】
無線通信システム１では、下り参照信号として、セル固有参照信号（ＣＲＳ：Cell-specific  Reference  Signal）、チャネル状態情報参照信号（ＣＳＩ−ＲＳ：Channel  State  Information-Reference  Signal）、復調用参照信号（ＤＭＲＳ：DeModulation  Reference  Signal）、位置決定参照信号（ＰＲＳ：Positioning  Reference  Signal）などが伝送される。また、無線通信システム１では、上り参照信号として、測定用参照信号（ＳＲＳ：Sounding  Reference  Signal）、復調用参照信号（ＤＭＲＳ）などが伝送される。なお、ＤＭＲＳはユーザ端末固有参照信号（UE-specific  Reference  Signal）と呼ばれてもよい。また、伝送される参照信号は、これらに限られない。
【００８５】
無線通信システム１では、同期信号（例えば、ＰＳＳ（Primary  Synchronization  Signal）／ＳＳＳ（Secondary  Synchronization  Signal））、ブロードキャストチャネル（ＰＢＣＨ：Physical  Broadcast  Channel）などが伝送される。なお、同期信号及びＰＢＣＨは、同期信号ブロック（ＳＳＢ：Synchronization  Signal  Block）において送信されてもよい。
【００８６】
＜無線基地局＞
図６は、一実施の形態に係る無線基地局の全体構成の一例を示す図である。無線基地局１０は、複数の送受信アンテナ１０１と、アンプ部１０２と、送受信部１０３と、ベースバンド信号処理部１０４と、呼処理部１０５と、伝送路インターフェース１０６と、を備えている。なお、送受信アンテナ１０１、アンプ部１０２、送受信部１０３は、それぞれ１つ以上を含むように構成されればよい。
【００８７】
下りリンクによって無線基地局１０からユーザ端末２０に送信されるユーザデータは、上位局装置３０から伝送路インターフェース１０６を介してベースバンド信号処理部１０４に入力される。
【００８８】
ベースバンド信号処理部１０４では、ユーザデータに関して、ＰＤＣＰ（Packet  Data  Convergence  Protocol）レイヤの処理、ユーザデータの分割・結合、ＲＬＣ（Radio  Link  Control）再送制御などのＲＬＣレイヤの送信処理、ＭＡＣ（Medium  Access  Control）再送制御（例えば、ＨＡＲＱの送信処理）、スケジューリング、伝送フォーマット選択、チャネル符号化、逆高速フーリエ変換（ＩＦＦＴ：Inverse  Fast  Fourier  Transform）処理、プリコーディング処理などの送信処理が行われて送受信部１０３に転送される。また、下り制御信号に関しても、チャネル符号化、逆高速フーリエ変換などの送信処理が行われて、送受信部１０３に転送される。
【００８９】
送受信部１０３は、ベースバンド信号処理部１０４からアンテナ毎にプリコーディングして出力されたベースバンド信号を無線周波数帯に変換して送信する。送受信部１０３で周波数変換された無線周波数信号は、アンプ部１０２によって増幅され、送受信アンテナ１０１から送信される。送受信部１０３は、本開示に係る技術分野での共通認識に基づいて説明されるトランスミッター／レシーバー、送受信回路又は送受信装置から構成することができる。なお、送受信部１０３は、一体の送受信部として構成されてもよいし、送信部及び受信部から構成されてもよい。
【００９０】
一方、上り信号については、送受信アンテナ１０１で受信された無線周波数信号がアンプ部１０２で増幅される。送受信部１０３はアンプ部１０２で増幅された上り信号を受信する。送受信部１０３は、受信信号をベースバンド信号に周波数変換して、ベースバンド信号処理部１０４に出力する。
【００９１】
ベースバンド信号処理部１０４では、入力された上り信号に含まれるユーザデータに対して、高速フーリエ変換（ＦＦＴ：Fast  Fourier  Transform）処理、逆離散フーリエ変換（ＩＤＦＴ：Inverse  Discrete  Fourier  Transform）処理、誤り訂正復号、ＭＡＣ再送制御の受信処理、ＲＬＣレイヤ及びＰＤＣＰレイヤの受信処理がなされ、伝送路インターフェース１０６を介して上位局装置３０に転送される。呼処理部１０５は、通信チャネルの呼処理（設定、解放など）、無線基地局１０の状態管理、無線リソースの管理などを行う。
【００９２】
伝送路インターフェース１０６は、所定のインターフェースを介して、上位局装置３０と信号を送受信する。また、伝送路インターフェース１０６は、基地局間インターフェース（例えば、ＣＰＲＩ（Common  Public  Radio  Interface）に準拠した光ファイバ、Ｘ２インターフェース）を介して他の無線基地局１０と信号を送受信（バックホールシグナリング）してもよい。
【００９３】
送受信部１０３は、ＰＵＳＣＨに多重される再送制御情報（ＨＡＲＱ−ＡＣＫ）と、複数のチャネル状態情報パート（ＣＳＩパート）を含むチャネル状態情報と、を受信する。また、送受信部１０３は、ＰＵＳＣＨに多重されるＵＣＩのマッピングパターン（例えば、パターン＃Ａ及び／又はパターン＃Ｂ）、及び所定パターン（例えば、パターン＃Ａ）におけるサブパターン（例えば、サブパターン＃１及び／又はサブパターン＃２）に関する情報を送信してもよい。マッピングパターン、又はサブパターンに関する情報は、リソースを特定する情報であればよい。
【００９４】
図７は、一実施の形態に係る無線基地局の機能構成の一例を示す図である。なお、本例では、一実施の形態における特徴部分の機能ブロックを主に示しており、無線基地局１０は、無線通信に必要な他の機能ブロックも有すると想定されてもよい。
【００９５】
ベースバンド信号処理部１０４は、制御部（スケジューラ）３０１と、送信信号生成部３０２と、マッピング部３０３と、受信信号処理部３０４と、測定部３０５と、を少なくとも備えている。なお、これらの構成は、無線基地局１０に含まれていればよく、一部又は全部の構成がベースバンド信号処理部１０４に含まれなくてもよい。
【００９６】
制御部（スケジューラ）３０１は、無線基地局１０全体の制御を実施する。制御部３０１は、本開示に係る技術分野での共通認識に基づいて説明されるコントローラ、制御回路又は制御装置から構成することができる。
【００９７】
制御部３０１は、例えば、送信信号生成部３０２における信号の生成、マッピング部３０３における信号の割り当てなどを制御する。また、制御部３０１は、受信信号処理部３０４における信号の受信処理、測定部３０５における信号の測定などを制御する。
【００９８】
制御部３０１は、システム情報、下りデータ信号（例えば、ＰＤＳＣＨで送信される信号）、下り制御信号（例えば、ＰＤＣＣＨ及び／又はＥＰＤＣＣＨで送信される信号。送達確認情報など）のスケジューリング（例えば、リソース割り当て）を制御する。また、制御部３０１は、上りデータ信号に対する再送制御の要否を判定した結果などに基づいて、下り制御信号、下りデータ信号などの生成を制御する。
【００９９】
制御部３０１は、同期信号（例えば、ＰＳＳ／ＳＳＳ）、下り参照信号（例えば、ＣＲＳ、ＣＳＩ−ＲＳ、ＤＭＲＳ）などのスケジューリングの制御を行う。
【０１００】
制御部３０１は、受信した上り共有チャネル（例えば、ＰＵＳＣＨ）又は上りデータにデパンクチャ処理及び／又はレートデマッチング処理を適用する制御を行ってもよい。
【０１０１】
送信信号生成部３０２は、制御部３０１からの指示に基づいて、下り信号（下り制御信号、下りデータ信号、下り参照信号など）を生成して、マッピング部３０３に出力する。送信信号生成部３０２は、本開示に係る技術分野での共通認識に基づいて説明される信号生成器、信号生成回路又は信号生成装置から構成することができる。
【０１０２】
送信信号生成部３０２は、例えば、制御部３０１からの指示に基づいて、下りデータの割り当て情報を通知するＤＬアサインメント及び／又は上りデータの割り当て情報を通知するＵＬグラントを生成する。ＤＬアサインメント及びＵＬグラントは、いずれもＤＣＩであり、ＤＣＩフォーマットに従う。また、下りデータ信号には、各ユーザ端末２０からのチャネル状態情報（ＣＳＩ：Channel  State  Information）などに基づいて決定された符号化率、変調方式などに従って符号化処理、変調処理などが行われる。
【０１０３】
マッピング部３０３は、制御部３０１からの指示に基づいて、送信信号生成部３０２で生成された下り信号を、所定の無線リソースにマッピングして、送受信部１０３に出力する。マッピング部３０３は、本開示に係る技術分野での共通認識に基づいて説明されるマッパー、マッピング回路又はマッピング装置から構成することができる。
【０１０４】
受信信号処理部３０４は、送受信部１０３から入力された受信信号に対して、受信処理（例えば、デマッピング、復調、復号など）を行う。ここで、受信信号は、例えば、ユーザ端末２０から送信される上り信号（上り制御信号、上りデータ信号、上り参照信号など）である。受信信号処理部３０４は、本開示に係る技術分野での共通認識に基づいて説明される信号処理器、信号処理回路又は信号処理装置から構成することができる。
【０１０５】
受信信号処理部３０４は、受信処理によって復号された情報を制御部３０１に出力する。例えば、ＨＡＲＱ−ＡＣＫを含むＰＵＣＣＨを受信した場合、ＨＡＲＱ−ＡＣＫを制御部３０１に出力する。また、受信信号処理部３０４は、受信信号及び／又は受信処理後の信号を、測定部３０５に出力する。
【０１０６】
測定部３０５は、受信した信号に関する測定を実施する。測定部３０５は、本開示に係る技術分野での共通認識に基づいて説明される測定器、測定回路又は測定装置から構成することができる。
【０１０７】
例えば、測定部３０５は、受信した信号に基づいて、ＲＲＭ（Radio  Resource  Management）測定、ＣＳＩ（Channel  State  Information）測定などを行ってもよい。測定部３０５は、受信電力（例えば、ＲＳＲＰ（Reference  Signal  Received  Power））、受信品質（例えば、ＲＳＲＱ（Reference  Signal  Received  Quality）、ＳＩＮＲ（Signal  to  Interference  plus  Noise  Ratio）、ＳＮＲ（Signal  to  Noise  Ratio））、信号強度（例えば、ＲＳＳＩ（Received  Signal  Strength  Indicator））、伝搬路情報（例えば、ＣＳＩ）などについて測定してもよい。測定結果は、制御部３０１に出力されてもよい。
【０１０８】
＜ユーザ端末＞
図８は、一実施の形態に係るユーザ端末の全体構成の一例を示す図である。ユーザ端末２０は、複数の送受信アンテナ２０１と、アンプ部２０２と、送受信部２０３と、ベースバンド信号処理部２０４と、アプリケーション部２０５と、を備えている。なお、送受信アンテナ２０１、アンプ部２０２、送受信部２０３は、それぞれ１つ以上を含むように構成されればよい。
【０１０９】
送受信アンテナ２０１で受信された無線周波数信号は、アンプ部２０２で増幅される。送受信部２０３は、アンプ部２０２で増幅された下り信号を受信する。送受信部２０３は、受信信号をベースバンド信号に周波数変換して、ベースバンド信号処理部２０４に出力する。送受信部２０３は、本開示に係る技術分野での共通認識に基づいて説明されるトランスミッター／レシーバー、送受信回路又は送受信装置から構成することができる。なお、送受信部２０３は、一体の送受信部として構成されてもよいし、送信部及び受信部から構成されてもよい。
【０１１０】
ベースバンド信号処理部２０４は、入力されたベースバンド信号に対して、ＦＦＴ処理、誤り訂正復号、再送制御の受信処理などを行う。下りリンクのユーザデータは、アプリケーション部２０５に転送される。アプリケーション部２０５は、物理レイヤ及びＭＡＣレイヤより上位のレイヤに関する処理などを行う。また、下りリンクのデータのうち、ブロードキャスト情報もアプリケーション部２０５に転送されてもよい。
【０１１１】
一方、上りリンクのユーザデータについては、アプリケーション部２０５からベースバンド信号処理部２０４に入力される。ベースバンド信号処理部２０４では、再送制御の送信処理（例えば、ＨＡＲＱの送信処理）、チャネル符号化、プリコーディング、離散フーリエ変換（ＤＦＴ：Discrete  Fourier  Transform）処理、ＩＦＦＴ処理などが行われて送受信部２０３に転送される。
【０１１２】
送受信部２０３は、ベースバンド信号処理部２０４から出力されたベースバンド信号を無線周波数帯に変換して送信する。送受信部２０３で周波数変換された無線周波数信号は、アンプ部２０２によって増幅され、送受信アンテナ２０１から送信される。
【０１１３】
送受信部２０３は、ＰＵＳＣＨに多重される再送制御情報（ＨＡＲＱ−ＡＣＫ）と、複数のチャネル状態情報パート（ＣＳＩパート）を含むチャネル状態情報と、を送信する。また、送受信部２０３は、ＰＵＳＣＨに多重されるＵＣＩのマッピングパターン（例えば、パターン＃Ａ及び／又はパターン＃Ｂ）、及び所定パターン（例えば、パターン＃Ａ）におけるサブパターン（例えば、サブパターン＃１及び／又はサブパターン＃２）に関する情報を受信してもよい。マッピングパターン、又はサブパターンに関する情報は、リソースを特定する情報であればよい。
【０１１４】
図９は、一実施の形態に係るユーザ端末の機能構成の一例を示す図である。なお、本例においては、一実施の形態における特徴部分の機能ブロックを主に示しており、ユーザ端末２０は、無線通信に必要な他の機能ブロックも有すると想定されてもよい。
【０１１５】
ユーザ端末２０が有するベースバンド信号処理部２０４は、制御部４０１と、送信信号生成部４０２と、マッピング部４０３と、受信信号処理部４０４と、測定部４０５と、を少なくとも備えている。なお、これらの構成は、ユーザ端末２０に含まれていればよく、一部又は全部の構成がベースバンド信号処理部２０４に含まれなくてもよい。
【０１１６】
制御部４０１は、ユーザ端末２０全体の制御を実施する。制御部４０１は、本開示に係る技術分野での共通認識に基づいて説明されるコントローラ、制御回路又は制御装置から構成することができる。
【０１１７】
制御部４０１は、例えば、送信信号生成部４０２における信号の生成、マッピング部４０３における信号の割り当てなどを制御する。また、制御部４０１は、受信信号処理部４０４における信号の受信処理、測定部４０５における信号の測定などを制御する。
【０１１８】
制御部４０１は、無線基地局１０から送信された下り制御信号及び下りデータ信号を、受信信号処理部４０４から取得する。制御部４０１は、下り制御信号及び／又は下りデータ信号に対する再送制御の要否を判定した結果などに基づいて、上り制御信号及び／又は上りデータ信号の生成を制御する。
【０１１９】
制御部４０１は、上り共有チャネル（例えば、ＰＵＳＣＨ）においてデータ及び上り制御情報（ＵＣＩ、例えばＨＡＲＱ−ＡＣＫ）を送信する場合に、上記データの送信が無線基地局からの送信指示（ＵＬグラント）に基づくか否かに基づいて、上記データに適用する送信処理を決定してもよい。
【０１２０】
制御部４０１は、少なくともＨＡＲＱ−ＡＣＫと特定のＣＳＩパートを異なるリソースに割当てるように制御する。また、制御部４０１は、ＨＡＲＱ−ＡＣＫと特定のＣＳＩパートに第１のマッピングパターンを共通して適用してもよい。また、第１のマッピングパターンに含まれるリソースの少なくとも一部が第２のマッピングパターンに含まれるリソースより復調用参照信号の近くに配置される構成としてもよい。
【０１２１】
例えば、制御部４０１は、特定のＣＳＩパートと異なる他のＣＳＩパートに対して、第１のマッピングパターンと異なる第２のマッピングパターンを適用してもよい。第１のマッピングパターンは、ＨＡＲＱ−ＡＣＫの割当てに利用される第１のサブパターンと、特定のＣＳＩパートの割当てに利用される第２のサブパターンが含まれていてもよい。
【０１２２】
また、制御部４０１は、無線基地局１０から通知された各種情報を受信信号処理部４０４から取得した場合、当該情報に基づいて制御に用いるパラメータ（割当てリソース等）を更新してもよい。
【０１２３】
送信信号生成部４０２は、制御部４０１からの指示に基づいて、上り信号（上り制御信号、上りデータ信号、上り参照信号など）を生成して、マッピング部４０３に出力する。送信信号生成部４０２は、本開示に係る技術分野での共通認識に基づいて説明される信号生成器、信号生成回路又は信号生成装置から構成することができる。
【０１２４】
送信信号生成部４０２は、例えば、制御部４０１からの指示に基づいて、送達確認情報、チャネル状態情報（ＣＳＩ）などに関する上り制御信号を生成する。また、送信信号生成部４０２は、制御部４０１からの指示に基づいて上りデータ信号を生成する。例えば、送信信号生成部４０２は、無線基地局１０から通知される下り制御信号にＵＬグラントが含まれている場合に、制御部４０１から上りデータ信号の生成を指示される。
【０１２５】
マッピング部４０３は、制御部４０１からの指示に基づいて、送信信号生成部４０２で生成された上り信号を無線リソースにマッピングして、送受信部２０３へ出力する。マッピング部４０３は、本開示に係る技術分野での共通認識に基づいて説明されるマッパー、マッピング回路又はマッピング装置から構成することができる。
【０１２６】
受信信号処理部４０４は、送受信部２０３から入力された受信信号に対して、受信処理（例えば、デマッピング、復調、復号など）を行う。ここで、受信信号は、例えば、無線基地局１０から送信される下り信号（下り制御信号、下りデータ信号、下り参照信号など）である。受信信号処理部４０４は、本開示に係る技術分野での共通認識に基づいて説明される信号処理器、信号処理回路又は信号処理装置から構成することができる。また、受信信号処理部４０４は、本開示に係る受信部を構成することができる。
【０１２７】
受信信号処理部４０４は、受信処理によって復号された情報を制御部４０１に出力する。受信信号処理部４０４は、例えば、ブロードキャスト情報、システム情報、ＲＲＣシグナリング、ＤＣＩなどを、制御部４０１に出力する。また、受信信号処理部４０４は、受信信号及び／又は受信処理後の信号を、測定部４０５に出力する。
【０１２８】
測定部４０５は、受信した信号に関する測定を実施する。測定部４０５は、本開示に係る技術分野での共通認識に基づいて説明される測定器、測定回路又は測定装置から構成することができる。
【０１２９】
例えば、測定部４０５は、受信した信号に基づいて、ＲＲＭ測定、ＣＳＩ測定などを行ってもよい。測定部４０５は、受信電力（例えば、ＲＳＲＰ）、受信品質（例えば、ＲＳＲＱ、ＳＩＮＲ、ＳＮＲ）、信号強度（例えば、ＲＳＳＩ）、伝搬路情報（例えば、ＣＳＩ）などについて測定してもよい。測定結果は、制御部４０１に出力されてもよい。
【０１３０】
（ハードウェア構成）
なお、上記実施形態の説明に用いたブロック図は、機能単位のブロックを示している。これらの機能ブロック（構成部）は、ハードウェア及び／又はソフトウェアの任意の組み合わせによって実現される。また、各機能ブロックの実現方法は特に限定されない。すなわち、各機能ブロックは、物理的及び／又は論理的に結合した１つの装置を用いて実現されてもよいし、物理的及び／又は論理的に分離した２つ以上の装置を直接的及び／又は間接的に（例えば、有線及び／又は無線を用いて）接続し、これら複数の装置を用いて実現されてもよい。
【０１３１】
例えば、本開示の一実施形態における無線基地局、ユーザ端末などは、本開示の無線通信方法の処理を行うコンピュータとして機能してもよい。図１０は、一実施形態に係る無線基地局及びユーザ端末のハードウェア構成の一例を示す図である。上述の無線基地局１０及びユーザ端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【０１３２】
なお、以下の説明では、「装置」という文言は、回路、デバイス、ユニットなどに読み替えることができる。無線基地局１０及びユーザ端末２０のハードウェア構成は、図に示した各装置を１つ又は複数含むように構成されてもよいし、一部の装置を含まずに構成されてもよい。
【０１３３】
例えば、プロセッサ１００１は１つだけ図示されているが、複数のプロセッサがあってもよい。また、処理は、１のプロセッサによって実行されてもよいし、処理が同時に、逐次に、又はその他の手法を用いて、１以上のプロセッサによって実行されてもよい。なお、プロセッサ１００１は、１以上のチップによって実装されてもよい。
【０１３４】
無線基地局１０及びユーザ端末２０における各機能は、例えば、プロセッサ１００１、メモリ１００２などのハードウェア上に所定のソフトウェア（プログラム）を読み込ませることによって、プロセッサ１００１が演算を行い、通信装置１００４を介する通信を制御したり、メモリ１００２及びストレージ１００３におけるデータの読み出し及び／又は書き込みを制御したりすることによって実現される。
【０１３５】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）によって構成されてもよい。例えば、上述のベースバンド信号処理部１０４（２０４）、呼処理部１０５などは、プロセッサ１００１によって実現されてもよい。
【０１３６】
また、プロセッサ１００１は、プログラム（プログラムコード）、ソフトウェアモジュール、データなどを、ストレージ１００３及び／又は通信装置１００４からメモリ１００２に読み出し、これらに従って各種の処理を実行する。プログラムとしては、上述の実施形態において説明した動作の少なくとも一部をコンピュータに実行させるプログラムが用いられる。例えば、ユーザ端末２０の制御部４０１は、メモリ１００２に格納され、プロセッサ１００１において動作する制御プログラムによって実現されてもよく、他の機能ブロックについても同様に実現されてもよい。
【０１３７】
メモリ１００２は、コンピュータ読み取り可能な記録媒体であり、例えば、ＲＯＭ（Read  Only  Memory）、ＥＰＲＯＭ（Erasable  Programmable  ROM）、ＥＥＰＲＯＭ（Electrically  EPROM）、ＲＡＭ（Random  Access  Memory）、その他の適切な記憶媒体の少なくとも１つによって構成されてもよい。メモリ１００２は、レジスタ、キャッシュ、メインメモリ（主記憶装置）などと呼ばれてもよい。メモリ１００２は、一実施形態に係る無線通信方法を実施するために実行可能なプログラム（プログラムコード）、ソフトウェアモジュールなどを保存することができる。
【０１３８】
ストレージ１００３は、コンピュータ読み取り可能な記録媒体であり、例えば、フレキシブルディスク、フロッピー（登録商標）ディスク、光磁気ディスク（例えば、コンパクトディスク（ＣＤ−ＲＯＭ（Compact  Disc  ROM）など）、デジタル多用途ディスク、Ｂｌｕ−ｒａｙ（登録商標）ディスク）、リムーバブルディスク、ハードディスクドライブ、スマートカード、フラッシュメモリデバイス（例えば、カード、スティック、キードライブ）、磁気ストライプ、データベース、サーバ、その他の適切な記憶媒体の少なくとも１つによって構成されてもよい。ストレージ１００３は、補助記憶装置と呼ばれてもよい。
【０１３９】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（ＦＤＤ：Frequency  Division  Duplex）及び／又は時分割複信（ＴＤＤ：Time  Division  Duplex）を実現するために、高周波スイッチ、デュプレクサ、フィルタ、周波数シンセサイザなどを含んで構成されてもよい。例えば、上述の送受信アンテナ１０１（２０１）、アンプ部１０２（２０２）、送受信部１０３（２０３）、伝送路インターフェース１０６などは、通信装置１００４によって実現されてもよい。
【０１４０】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、ＬＥＤ（Light  Emitting  Diode）ランプなど）である。なお、入力装置１００５及び出力装置１００６は、一体となった構成（例えば、タッチパネル）であってもよい。
【０１４１】
また、プロセッサ１００１、メモリ１００２などの各装置は、情報を通信するためのバス１００７によって接続される。バス１００７は、単一のバスを用いて構成されてもよいし、装置間ごとに異なるバスを用いて構成されてもよい。
【０１４２】
また、無線基地局１０及びユーザ端末２０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアを用いて各機能ブロックの一部又は全てが実現されてもよい。例えば、プロセッサ１００１は、これらのハードウェアの少なくとも１つを用いて実装されてもよい。
【０１４３】
（変形例）
なお、本明細書において説明した用語及び／又は本明細書の理解に必要な用語については、同一の又は類似する意味を有する用語と置き換えてもよい。例えば、チャネル及び／又はシンボルは信号（シグナリング）であってもよい。また、信号はメッセージであってもよい。参照信号は、ＲＳ（Reference  Signal）と略称することもでき、適用される標準によってパイロット（Pilot）、パイロット信号などと呼ばれてもよい。また、コンポーネントキャリア（ＣＣ：Component  Carrier）は、セル、周波数キャリア、キャリア周波数などと呼ばれてもよい。
【０１４４】
また、無線フレームは、時間領域において１つ又は複数の期間（フレーム）によって構成されてもよい。無線フレームを構成する当該１つ又は複数の各期間（フレーム）は、サブフレームと呼ばれてもよい。さらに、サブフレームは、時間領域において１つ又は複数のスロットによって構成されてもよい。サブフレームは、ニューメロロジーに依存しない固定の時間長（例えば、１ｍｓ）であってもよい。
【０１４５】
さらに、スロットは、時間領域において１つ又は複数のシンボル（ＯＦＤＭ（Orthogonal  Frequency  Division  Multiplexing）シンボル、ＳＣ−ＦＤＭＡ（Single  Carrier  Frequency  Division  Multiple  Access）シンボルなど）によって構成されてもよい。また、スロットは、ニューメロロジーに基づく時間単位であってもよい。また、スロットは、複数のミニスロットを含んでもよい。各ミニスロットは、時間領域において１つ又は複数のシンボルによって構成されてもよい。また、ミニスロットは、サブスロットと呼ばれてもよい。
【０１４６】
無線フレーム、サブフレーム、スロット、ミニスロット及びシンボルは、いずれも信号を伝送する際の時間単位を表す。無線フレーム、サブフレーム、スロット、ミニスロット及びシンボルは、それぞれに対応する別の呼称が用いられてもよい。例えば、１サブフレームは送信時間間隔（ＴＴＩ：Transmission  Time  Interval）と呼ばれてもよいし、複数の連続したサブフレームがＴＴＩと呼ばれてよいし、１スロット又は１ミニスロットがＴＴＩと呼ばれてもよい。つまり、サブフレーム及び／又はＴＴＩは、既存のＬＴＥにおけるサブフレーム（１ｍｓ）であってもよいし、１ｍｓより短い期間（例えば、１−１３シンボル）であってもよいし、１ｍｓより長い期間であってもよい。なお、ＴＴＩを表す単位は、サブフレームではなくスロット、ミニスロットなどと呼ばれてもよい。
【０１４７】
ここで、ＴＴＩは、例えば、無線通信におけるスケジューリングの最小時間単位のことをいう。例えば、ＬＴＥシステムでは、無線基地局が各ユーザ端末に対して、無線リソース（各ユーザ端末において使用することが可能な周波数帯域幅、送信電力など）を、ＴＴＩ単位で割り当てるスケジューリングを行う。なお、ＴＴＩの定義はこれに限られない。
【０１４８】
ＴＴＩは、チャネル符号化されたデータパケット（トランスポートブロック）、コードブロック、及び／又はコードワードの送信時間単位であってもよいし、スケジューリング、リンクアダプテーションなどの処理単位となってもよい。なお、ＴＴＩが与えられたとき、実際にトランスポートブロック、コードブロック、及び／又はコードワードがマッピングされる時間区間（例えば、シンボル数）は、当該ＴＴＩよりも短くてもよい。
【０１４９】
なお、１スロット又は１ミニスロットがＴＴＩと呼ばれる場合、１以上のＴＴＩ（すなわち、１以上のスロット又は１以上のミニスロット）が、スケジューリングの最小時間単位となってもよい。また、当該スケジューリングの最小時間単位を構成するスロット数（ミニスロット数）は制御されてもよい。
【０１５０】
１ｍｓの時間長を有するＴＴＩは、通常ＴＴＩ（ＬＴＥ  Ｒｅｌ．８−１２におけるＴＴＩ）、ノーマルＴＴＩ、ロングＴＴＩ、通常サブフレーム、ノーマルサブフレーム、又はロングサブフレームなどと呼ばれてもよい。通常ＴＴＩより短いＴＴＩは、短縮ＴＴＩ、ショートＴＴＩ、部分ＴＴＩ（partial又はfractional  TTI）、短縮サブフレーム、ショートサブフレーム、ミニスロット、又は、サブスロットなどと呼ばれてもよい。
【０１５１】
なお、ロングＴＴＩ（例えば、通常ＴＴＩ、サブフレームなど）は、１ｍｓを超える時間長を有するＴＴＩで読み替えてもよいし、ショートＴＴＩ（例えば、短縮ＴＴＩなど）は、ロングＴＴＩのＴＴＩ長未満かつ１ｍｓ以上のＴＴＩ長を有するＴＴＩで読み替えてもよい。
【０１５２】
リソースブロック（ＲＢ：Resource  Block）は、時間領域及び周波数領域のリソース割当単位であり、周波数領域において、１つ又は複数個の連続した副搬送波（サブキャリア（subcarrier））を含んでもよい。また、ＲＢは、時間領域において、１つ又は複数個のシンボルを含んでもよく、１スロット、１ミニスロット、１サブフレーム又は１ＴＴＩの長さであってもよい。１ＴＴＩ、１サブフレームは、それぞれ１つ又は複数のリソースブロックによって構成されてもよい。なお、１つ又は複数のＲＢは、物理リソースブロック（ＰＲＢ：Physical  RB）、サブキャリアグループ（ＳＣＧ：Sub-Carrier  Group）、リソースエレメントグループ（ＲＥＧ：Resource  Element  Group）、ＰＲＢペア、ＲＢペアなどと呼ばれてもよい。
【０１５３】
また、リソースブロックは、１つ又は複数のリソースエレメント（ＲＥ：Resource  Element）によって構成されてもよい。例えば、１ＲＥは、１サブキャリア及び１シンボルの無線リソース領域であってもよい。
【０１５４】
なお、上述した無線フレーム、サブフレーム、スロット、ミニスロット及びシンボルなどの構造は例示に過ぎない。例えば、無線フレームに含まれるサブフレームの数、サブフレーム又は無線フレームあたりのスロットの数、スロット内に含まれるミニスロットの数、スロット又はミニスロットに含まれるシンボル及びＲＢの数、ＲＢに含まれるサブキャリアの数、並びにＴＴＩ内のシンボル数、シンボル長、サイクリックプレフィックス（ＣＰ：Cyclic  Prefix）長などの構成は、様々に変更することができる。
【０１５５】
また、本明細書において説明した情報、パラメータなどは、絶対値を用いて表されてもよいし、所定の値からの相対値を用いて表されてもよいし、対応する別の情報を用いて表されてもよい。例えば、無線リソースは、所定のインデックスによって指示されてもよい。
【０１５６】
本明細書においてパラメータなどに使用する名称は、いかなる点においても限定的な名称ではない。例えば、様々なチャネル（ＰＵＣＣＨ（Physical  Uplink  Control  Channel）、ＰＤＣＣＨ（Physical  Downlink  Control  Channel）など）及び情報要素は、あらゆる好適な名称によって識別できるので、これらの様々なチャネル及び情報要素に割り当てている様々な名称は、いかなる点においても限定的な名称ではない。
【０１５７】
本明細書において説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０１５８】
また、情報、信号などは、上位レイヤから下位レイヤ、及び／又は下位レイヤから上位レイヤへ出力され得る。情報、信号などは、複数のネットワークノードを介して入出力されてもよい。
【０１５９】
入出力された情報、信号などは、特定の場所（例えば、メモリ）に保存されてもよいし、管理テーブルを用いて管理してもよい。入出力される情報、信号などは、上書き、更新又は追記をされ得る。出力された情報、信号などは、削除されてもよい。入力された情報、信号などは、他の装置へ送信されてもよい。
【０１６０】
情報の通知は、本明細書において説明した態様／実施形態に限られず、他の方法を用いて行われてもよい。例えば、情報の通知は、物理レイヤシグナリング（例えば、下り制御情報（ＤＣＩ：Downlink  Control  Information）、上り制御情報（ＵＣＩ：Uplink  Control  Information））、上位レイヤシグナリング（例えば、ＲＲＣ（Radio  Resource  Control）シグナリング、ブロードキャスト情報（マスタ情報ブロック（ＭＩＢ：Master  Information  Block）、システム情報ブロック（ＳＩＢ：System  Information  Block）など）、ＭＡＣ（Medium  Access  Control）シグナリング）、その他の信号又はこれらの組み合わせによって実施されてもよい。
【０１６１】
なお、物理レイヤシグナリングは、Ｌ１／Ｌ２（Layer  1／Layer  2）制御情報（Ｌ１／Ｌ２制御信号）、Ｌ１制御情報（Ｌ１制御信号）などと呼ばれてもよい。また、ＲＲＣシグナリングは、ＲＲＣメッセージと呼ばれてもよく、例えば、ＲＲＣ接続セットアップ（RRCConnectionSetup）メッセージ、ＲＲＣ接続再構成（RRCConnectionReconfiguration）メッセージなどであってもよい。また、ＭＡＣシグナリングは、例えば、ＭＡＣ制御要素（ＭＡＣ  ＣＥ（Control  Element））を用いて通知されてもよい。
【０１６２】
また、所定の情報の通知（例えば、「Ｘであること」の通知）は、明示的な通知に限られず、暗示的に（例えば、当該所定の情報の通知を行わないことによって又は別の情報の通知によって）行われてもよい。
【０１６３】
判定は、１ビットで表される値（０か１か）によって行われてもよいし、真（true）又は偽（false）で表される真偽値（boolean）によって行われてもよいし、数値の比較（例えば、所定の値との比較）によって行われてもよい。
【０１６４】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０１６５】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（ＤＳＬ：Digital  Subscriber  Line）など）及び／又は無線技術（赤外線、マイクロ波など）を使用してウェブサイト、サーバ、又は他のリモートソースから送信される場合、これらの有線技術及び／又は無線技術は、伝送媒体の定義内に含まれる。
【０１６６】
本明細書において使用する「システム」及び「ネットワーク」という用語は、互換的に使用される。
【０１６７】
本明細書においては、「基地局（ＢＳ：Base  Station）」、「無線基地局」、「ｅＮＢ」、「ｇＮＢ」、「セル」、「セクタ」、「セルグループ」、「キャリア」及び「コンポーネントキャリア」という用語は、互換的に使用され得る。基地局は、固定局（fixed  station）、ＮｏｄｅＢ、ｅＮｏｄｅＢ（ｅＮＢ）、アクセスポイント（access  point）、送信ポイント、受信ポイント、フェムトセル、スモールセルなどの用語で呼ばれる場合もある。
【０１６８】
基地局は、１つ又は複数（例えば、３つ）のセル（セクタとも呼ばれる）を収容することができる。基地局が複数のセルを収容する場合、基地局のカバレッジエリア全体は複数のより小さいエリアに区分でき、各々のより小さいエリアは、基地局サブシステム（例えば、屋内用の小型基地局（ＲＲＨ：Remote  Radio  Head））によって通信サービスを提供することもできる。「セル」又は「セクタ」という用語は、このカバレッジにおいて通信サービスを行う基地局及び／又は基地局サブシステムのカバレッジエリアの一部又は全体を指す。
【０１６９】
本明細書においては、「移動局（ＭＳ：Mobile  Station）」、「ユーザ端末（user  terminal）」、「ユーザ装置（ＵＥ：User  Equipment）」及び「端末」という用語は、互換的に使用され得る。
【０１７０】
移動局は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント又はいくつかの他の適切な用語で呼ばれる場合もある。
【０１７１】
また、本明細書における無線基地局は、ユーザ端末で読み替えてもよい。例えば、無線基地局及びユーザ端末間の通信を、複数のユーザ端末間（Ｄ２Ｄ：Device-to-Device）の通信に置き換えた構成について、本開示の各態様／実施形態を適用してもよい。この場合、上述の無線基地局１０が有する機能をユーザ端末２０が有する構成としてもよい。また、「上り」及び「下り」などの文言は、「サイド」と読み替えられてもよい。例えば、上りチャネルは、サイドチャネルと読み替えられてもよい。
【０１７２】
同様に、本明細書におけるユーザ端末は、無線基地局で読み替えてもよい。この場合、上述のユーザ端末２０が有する機能を無線基地局１０が有する構成としてもよい。
【０１７３】
本明細書において、基地局によって行われるとした動作は、場合によってはその上位ノード（upper  node）によって行われることもある。基地局を有する１つ又は複数のネットワークノード（network  nodes）を含むネットワークにおいて、端末との通信のために行われる様々な動作は、基地局、基地局以外の１つ以上のネットワークノード（例えば、ＭＭＥ（Mobility  Management  Entity）、Ｓ−ＧＷ（Serving-Gateway）などが考えられるが、これらに限られない）又はこれらの組み合わせによって行われ得ることは明らかである。
【０１７４】
本明細書において説明した各態様／実施形態は単独で用いてもよいし、組み合わせて用いてもよいし、実行に伴って切り替えて用いてもよい。また、本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【０１７５】
本明細書において説明した各態様／実施形態は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、Ｎｅｗ−ＲＡＴ（Radio  Access  Technology）、ＮＲ（New  Radio）、ＮＸ（New  radio  access）、ＦＸ（Future  generation  radio  access）、ＧＳＭ（登録商標）（Global  System  for  Mobile  communications）、ＣＤＭＡ２０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切な無線通信方法を利用するシステム及び／又はこれらに基づいて拡張された次世代システムに適用されてもよい。
【０１７６】
本明細書において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０１７７】
本明細書において使用する「第１の」、「第２の」などの呼称を使用した要素へのいかなる参照も、それらの要素の量又は順序を全般的に限定しない。これらの呼称は、２つ以上の要素間を区別する便利な方法として本明細書において使用され得る。したがって、第１及び第２の要素の参照は、２つの要素のみが採用され得ること又は何らかの形で第１の要素が第２の要素に先行しなければならないことを意味しない。
【０１７８】
本明細書において使用する「判断（決定）（determining）」という用語は、多種多様な動作を包含する場合がある。例えば、「判断（決定）」は、計算（calculating）、算出（computing）、処理（processing）、導出（deriving）、調査（investigating）、探索（looking  up）（例えば、テーブル、データベース又は別のデータ構造での探索）、確認（ascertaining）などを「判断（決定）」することであるとみなされてもよい。また、「判断（決定）」は、受信（receiving）（例えば、情報を受信すること）、送信（transmitting）（例えば、情報を送信すること）、入力（input）、出力（output）、アクセス（accessing）（例えば、メモリ中のデータにアクセスすること）などを「判断（決定）」することであるとみなされてもよい。また、「判断（決定）」は、解決（resolving）、選択（selecting）、選定（choosing）、確立（establishing）、比較（comparing）などを「判断（決定）」することであるとみなされてもよい。つまり、「判断（決定）」は、何らかの動作を「判断（決定）」することであるとみなされてもよい。
【０１７９】
本明細書において使用する「接続された（connected）」、「結合された（coupled）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的であっても、論理的であっても、あるいはこれらの組み合わせであってもよい。例えば、「接続」は「アクセス」と読み替えられてもよい。
【０１８０】
本明細書において、２つの要素が接続される場合、１又はそれ以上の電線、ケーブル及び／又はプリント電気接続を用いて、並びにいくつかの非限定的かつ非包括的な例として、無線周波数領域、マイクロ波領域及び／又は光（可視及び不可視の両方）領域の波長を有する電磁エネルギーなどを用いて、互いに「接続」又は「結合」されると考えることができる。
【０１８１】
本明細書において、「ＡとＢが異なる」という用語は、「ＡとＢが互いに異なる」ことを意味してもよい。「離れる」、「結合される」などの用語も同様に解釈されてもよい。
【０１８２】
本明細書又は請求の範囲において、「含む（including）」、「含んでいる（comprising）」、及びそれらの変形が使用されている場合、これらの用語は、用語「備える」と同様に、包括的であることが意図される。さらに、本明細書あるいは請求の範囲において使用されている用語「又は（or）」は、排他的論理和ではないことが意図される。
【０１８３】
以上、本開示に係る発明について詳細に説明したが、当業者にとっては、本開示に係る発明が本明細書中に説明した実施形態に限定されないということは明らかである。本開示に係る発明は、請求の範囲の記載に基づいて定まる発明の趣旨及び範囲を逸脱することなく修正及び変更態様として実施することができる。したがって、本明細書の記載は、例示説明を目的とし、本開示に係る発明に対して何ら制限的な意味をもたらさない。
【０１８４】
（付記）
以下、本開示の補足事項について付記する。
【０１８５】
［構成１］
上り共有チャネルにおいて、再送制御情報（ＨＡＲＱ−ＡＣＫ）と、複数のチャネル状態情報パート（ＣＳＩパート）を含むチャネル状態情報と、を送信する送信部と、
少なくとも前記ＨＡＲＱ−ＡＣＫと特定のＣＳＩパートを異なるリソースに割当てるように制御する制御部と、を有することを特徴とするユーザ端末。
［構成２］
前記制御部は、前記ＨＡＲＱ−ＡＣＫと前記特定のＣＳＩパートに第１のマッピングパターンを適用することを特徴とする構成１に記載のユーザ端末。
［構成３］
前記制御部は、前記特定のＣＳＩパートと異なる他のＣＳＩパートに対して、前記第１のマッピングパターンと異なる第２のマッピングパターンを適用することを特徴とする構成２に記載のユーザ端末。
［構成４］
前記第１のマッピングパターンは、前記ＨＡＲＱ−ＡＣＫの割当てに利用される第１のサブパターンと、前記特定のＣＳＩパートの割当てに利用される第２のサブパターンが含まれることを特徴とする構成１から構成３のいずれかに記載のユーザ端末。
［構成５］
前記第１のマッピングパターンに含まれるリソースの少なくとも一部が前記第２のマッピングパターンに含まれるリソースより復調用参照信号の近くに配置されることを特徴とする構成３又は構成４に記載のユーザ端末。
［構成６］
上り共有チャネルにおいて、再送制御情報（ＨＡＲＱ−ＡＣＫ）と、複数のチャネル状態情報パート（ＣＳＩパート）を含むチャネル状態情報と、を送信する工程と、
少なくとも前記ＨＡＲＱ−ＡＣＫと特定のＣＳＩパートを異なるリソースに割当てるように制御する工程と、を有することを特徴とするユーザ端末の無線通信方法。
【０１８６】
本出願は、２０１７年１２月１日出願の特願２０１７−２４３２０５に基づく。この内容は、全てここに含めておく。
【図１】
2019107547.tif 000003
【図２】
2019107547.tif 000004
【図３】
2019107547.tif 000005
【図４】
2019107547.tif 000006
【図５】
2019107547.tif 000007
【図６】
2019107547.tif 000008
【図７】
2019107547.tif 000009
【図８】
2019107547.tif 000010
【図９】
2019107547.tif 000011
【図１０】
2019107547.tif 000012
【国際調査報告】
2019107547.tif 000013
2019107547.tif 000014